(57)【要約】【課題】良好な切断面を有する繊維強化複合体を精確かつ簡便に低コストで製造する方法を提供する。【解決手段】強化繊維にマトリックス樹脂を含浸したプリプレグを、キャビティ20及び30を有する成形型２及び３を用いて硬化させることにより繊維強化複合体を製造する方法であって、成形型２及び３のキャビティ20及び30が繊維強化複合体の外形に対応した形状を有し、キャビティ20及び30にプリプレグを挟持した状態で、キャビティ20及び30の縁（壁面20c及び30d）に沿ってプリプレグの余肉を切除した後、マトリックス樹脂を硬化させる方法。【選択図】図2(a)
2008012920.tif 000002
【特許請求の範囲】
【請求項１】
強化繊維にマトリックス樹脂を含浸したプリプレグから繊維強化複合体を製造する方法であって、成形型のキャビティに前記プリプレグを配置した状態で、前記キャビティの縁に沿って前記プリプレグの余肉を切除した後、前記マトリックス樹脂を硬化させることを特徴とする方法。
【請求項２】
請求項１に記載の繊維強化複合体の製造方法において、(1) 室温における前記繊維強化複合体の設計寸法から、前記繊維強化複合体の線膨張係数を用いて、前記プリプレグの硬化温度における前記繊維強化複合体の寸法を算出し、(2) 前記成形型の線膨張係数を用いて、前記硬化温度で前記繊維強化複合体と同じ寸法となるように前記成形型のキャビティの室温寸法を算出することを特徴とする方法。
【請求項３】
請求項１又は２に記載の繊維強化複合体の製造方法において、前記繊維強化複合体は矩形状平板部と、その端部から突出した少なくとも１つのフランジ部とを有し、前記成形型のキャビティは前記矩形状平板部を支持する水平部と、前記フランジ部を支持する少なくとも１つの垂直部とを有することを特徴とする方法。
【請求項４】
請求項１〜３のいずれかに記載の繊維強化複合体の製造方法において、少なくとも一方にキャビティが設けられた上型及び下型からなる成形型を使用し、前記上型及び下型の水平部は整合する孔を有し、前記孔に挿入した穿孔工具により前記キャビティ内の硬化プリプレグ成形体の矩形状平板部に接合用孔を形成することを特徴とする方法。
【請求項５】
請求項４に記載の繊維強化複合体の製造方法において、前記上型及び／又は下型の垂直部は孔を有し、前記孔に挿入した穿孔工具により前記キャビティ内の硬化プリプレグ成形体のフランジ部に接合用孔を設けることを特徴とする方法。
【請求項６】
請求項１〜５のいずれかに記載の繊維強化複合体の製造方法において、前記キャビティの端面に設けられた少なくとも１つの溝に平坦な工具を差し入れて前記繊維強化複合体を前記キャビティ面から脱離させることを特徴とする方法。
【請求項７】
強化繊維にマトリックス樹脂を含浸したプリプレグから、矩形状平板部とその端部から突出したフランジ部とを有する繊維強化複合体を製造する方法であって、キャビティが設けられた上型及び下型と、側型とからなる成形型を使用し、前記上型及び下型のキャビティは、整合する位置に第一の孔を有する水平部と、少なくとも一部が第二の孔を有する垂直部とを有し、(1) 前記上型及び下型の各々のキャビティに前記プリプレグの積層体を配置し、(2) 各キャビティの縁に沿って前記プリプレグ積層体の余肉を切除し、(3) 前記上型、前記下型及び前記側型を閉じた後前記プリプレグ積層体を加熱することにより前記マトリックス樹脂を硬化させ、(4) 得られた硬化プリプレグ成形体を前記キャビティ内に保持したまま、前記第一の孔に挿入した穿孔工具により前記硬化プリプレグ成形体の矩形状平板部に接合用孔を設け、(5) 前記上型又は下型の少なくとも１つの側面に、前記垂直部の第二の孔と整合する位置に孔を有する治具を固定し、前記孔に挿入した穿孔工具により前記硬化プリプレグ成形体の少なくとも１つのフランジ部に接合用孔を設けることを特徴とする方法。
【発明の詳細な説明】
【技術分野】
【０００１】
本発明は、繊維強化複合体を精確かつ簡便に低コストで製造する方法に関する。
【背景技術】
【０００２】
従来、炭素繊維強化プラスチック（CFRP）等からなる硬化プリプレグ成形体（繊維強化複合体）は、寸法精度を確保するために、余肉を持たせた状態で硬化し、得られた硬化成形物からエンドミルやルータ等の切削工具により余肉を除去することにより製造されている。しかし繊維強化複合材は、強度や剛性が高いので切削が困難であり、切削工具の磨耗が早く、切削工具の耐用年数が短い。また切削面に繊維がケバ状に残ったり、加工時の振動により切削面から層間剥離が生じたりするために、強度低下や疲労破壊を招くといった問題もある。耐磨耗性が改善されたエンドミルとして、細かいダイヤモンド粒子を切削部に電着したエンドミルが提案されているが、このエンドミルは研削粉の目詰まりが発生するので、やはり耐用年数が短い。
【０００３】
そこで特公昭59-27827号（特許文献１）は、繊維強化複合材の切削面にケバ立ちやバリが生じない切削方法として、繊維強化複合材を治具で把持した状態とし、上下でねじれ角の異なる切れ刃を有するルータの各切れ刃のオーバーラップ部分を用いて切削する方法を提案している。
【０００４】
実開平2-82461号（特許文献２）は、繊維強化複合材の研削時に研削粉の目詰まりが発生しないエンドミルとして、研削部に砥粒が電着しているとともに、研削粉排除用溝が研削部周面に形成されたエンドミルを提案している。
【０００５】
特開平5-318218号（特許文献３）は、層間剥離や繊維の引き裂きを防止しながら硬化繊維強化プラスチック積層板を切削する方法として、炭素繊維プリプレグ積層体と、その両面に設けられたガラス繊維織物とからなり、前記炭素繊維プリプレグ積層体の両表面層における炭素繊維の方向が同じである繊維強化プラスチック積層板の端面を加熱硬化後に切削する方法であって、炭素繊維方向に対してカッターのすくい面を90〜180°とする方法を提案している。
【０００６】
特開2002-283101号（特許文献４）は、繊維強化複合材の良好な切断面を得るために、回転する繊維強化複合材の端面を工具で切削する方法であって、工具を切削方向に振動させ、振動一周期当たりの工具と繊維強化複合材との相対的な移動量を強化繊維の直径の２倍以下にする方法を提案している。
【０００７】
しかし特許文献１、２及び４の方法は特殊な工具を必要とするので、コスト高であるという問題を有する。また特許文献３の方法では、繊維強化プラスチック積層板の積層構成が限られ、設計の自由度が制限される。
【０００８】
【特許文献１】特公昭59-27827号公報
【特許文献２】実開平2-82461号公報
【特許文献３】特開平5-318218号公報
【特許文献４】特開2002-283101号公報
【発明の開示】
【発明が解決しようとする課題】
【０００９】
従って、本発明の目的は、良好な切断面を有する繊維強化複合体を簡便かつ低廉に製造する方法を提供することである。
【課題を解決するための手段】
【００１０】
上記目的に鑑み鋭意研究の結果、本発明者らは、成形型のキャビティにプリプレグを配置した状態で、前記キャビティの縁に沿って余肉を切除した後、前記マトリックス樹脂を硬化させることにより、良好な切断面を有する繊維強化複合体を精確かつ簡便で低廉に製造できることを見出し、本発明に想到した。
【００１１】
すなわち、強化繊維にマトリックス樹脂を含浸したプリプレグから繊維強化複合体を製造する本発明の方法は、成形型のキャビティに前記プリプレグを配置した状態で、前記キャビティの縁に沿って前記プリプレグの余肉を切除した後、前記マトリックス樹脂を硬化させることを特徴とする。
【００１２】
この方法において、(1) 室温における前記繊維強化複合体の設計寸法から、前記繊維強化複合体の線膨張係数を用いて、前記プリプレグの硬化温度における前記繊維強化複合体の寸法を算出し、(2) 前記成形型の線膨張係数を用いて、前記硬化温度で前記繊維強化複合体と同じ寸法となるように前記成形型のキャビティの室温寸法を算出するのが好ましい。
【００１３】
前記繊維強化複合体は矩形状平板部と、その端部から突出した少なくとも１つのフランジ部とを有し、前記成形型のキャビティは前記矩形状平板部を支持する水平部と、前記フランジ部を支持する少なくとも１つの垂直部とを有するのが好ましい。
【００１４】
少なくとも一方にキャビティが設けられた上型及び下型からなる成形型を使用し、前記上型及び下型の水平部は整合する孔を有し、前記孔に挿入した穿孔工具により前記キャビティ内の硬化プリプレグ成形体の矩形状平板部に接合用孔を形成するのが好ましい。
【００１５】
前記上型及び／又は下型の垂直部は孔を有し、前記孔に挿入した穿孔工具により前記キャビティ内の硬化プリプレグ成形体のフランジ部に接合用孔を設けるのが好ましい。前記キャビティの端面に設けられた少なくとも１つの溝に平坦な工具を差し入れて前記繊維強化複合体を前記キャビティ面から脱離させるのが好ましい。
【００１６】
強化繊維にマトリックス樹脂を含浸したプリプレグから、矩形状平板部とその端部から突出したフランジ部とを有する繊維強化複合体を製造する本発明の方法は、キャビティが設けられた上型及び下型と、側型とからなる成形型を使用し、前記上型及び下型のキャビティは、整合する位置に第一の孔を有する水平部と、少なくとも一部が第二の孔を有する垂直部とを有し、(1) 前記上型及び下型の各々のキャビティに前記プリプレグの積層体を配置し、(2) 各キャビティの縁に沿って前記プリプレグ積層体の余肉を切除し、(3) 前記上型、前記下型及び前記側型を閉じた後前記プリプレグ積層体を加熱することにより前記マトリックス樹脂を硬化させ、(4) 得られた硬化プリプレグ成形体を前記キャビティ内に保持したまま、前記第一の孔に挿入した穿孔工具により前記硬化プリプレグ成形体の矩形状平板部に接合用孔を設け、(5) 前記上型又は下型の少なくとも１つの側面に、前記垂直部の第二の孔と整合する位置に孔を有する治具を固定し、前記孔に挿入した穿孔工具により前記硬化プリプレグ成形体の少なくとも１つのフランジ部に接合用孔を設けることを特徴とする。
【発明の効果】
【００１７】
本発明によれば、トリミングの容易なプリプレグから余肉を切除するので、硬化プリプレグ成形体から余肉を除去する従来の方法に比べて、良好な切断面を有する繊維強化複合体を精確かつ簡便に低コストで製造できる。
【発明を実施するための最良の形態】
【００１８】
[1] 繊維強化複合体の製造方法
図１は、本発明の方法により製造する繊維強化複合体の一例を示す。このパネル状の繊維強化複合体１は、強化繊維にマトリックス樹脂を含浸したプリプレグを硬化させてなり、矩形状の平板部10と、その横手方向両側縁部から片側に突出したフランジ部11，11と、平板部10の長手方向両側縁部から両側に突出したフランジ部12，12と、平板部10に設けられた軽量化のための円孔13，13と、平板部10の四隅に設けられた円弧状の切り欠き部14とを有する。パネル状繊維強化複合体１の平板部10、フランジ部11，11及びフランジ部12の一方には、リベット等の接合部材により他の部材と接合するための孔15が設けられている。以下図１に示すパネル状繊維強化複合体１を成形する方法を例にとり、本発明の繊維強化複合体の製造方法を説明する。
【００１９】
(1) 成形型
(a) 形状
図２〜４は、図１に示すパネル状繊維強化複合体１を成形する型の一例を示す。この成形型は、繊維強化複合体１の平板部10及びフランジ部11，11，12，12を形成するキャビティ20，30を有する上型及び下型２，３と、上型及び下型２，３と密着する側型４，４，５，５とを有する。
【００２０】
上型２のキャビティ20は、繊維強化複合体１の平板部10を形成する水平部20aと、繊維強化複合体１のフランジ部12，12を形成する垂直部20b，20bとを有する。水平部20aの四隅には扇状凸部23a，23a，23a，23aが円弧部を内側にして設けられており、各扇状凸部23aの平坦な側面は垂直部20b，20bより僅かに外側に張り出している。各垂直部20bは上型２の厚さ方向途中まで延びているので、隣接する扇状凸部23aの根元部（上部）は上型２の上面に沿った水平凸部23cにより連結している。キャビティ20の外周に沿って樹脂漏れ防止用シール66を収容する溝21aが形成されているので、キャビティ20の外周縁と溝21aとの間がフランジ部22aとなる。
【００２１】
水平部20aの中央に、繊維強化複合体１の円孔13，13を設けるための一対の円状凸部23b，23bが設けられている。各円状凸部23bの中心部には、後述するピン65を挿入する孔25が設けられている。各円状凸部23bとその外周に設けられた同じ高さの環状フランジ部22bとの間に、樹脂漏れ防止用シール66を収容する環状溝21bが設けられている。
【００２２】
上型２には、繊維強化複合体１の孔15を設けるためにドリルを挿入する孔24が設けられている。図３(a) に示すように、孔24は、上側からネジ山を有する大径部24aと、ネジ山を有さない小径孔部24bとを有する。上型２用の樹脂漏れ防止プラグ62は孔24と相補的な形状を有し、大径孔部24aに螺合するネジ山付きの頭部62aを有する。小径孔部24bに挿入される先端部62bにはOリング（例えばシリコーンゴム、含フッ素ゴム等からなる）62cが装着されているので、樹脂漏れを防ぐことができる。プラグ62を孔24に螺入すると、小径孔部24bの先端面はキャビティ20の水平部20aと同一平面となる。
【００２３】
図４(a)に示すように、成形した繊維強化複合体１を上型２から取り外すために、上型２のフランジ部22aの内側面（キャビティ20の端面20c）にマイナスドライバ等の平坦な工具を差し入れる浅い溝26が適宜設けられている。
【００２４】
下型３は上型２に対応する形状を有する。下型３のキャビティ30は、繊維強化複合体１の平板部10を形成する水平部30aと、繊維強化複合体１の短手方向フランジ部11，11を形成する垂直部30b，30bと、繊維強化複合体１の長手方向フランジ部12，12を形成する垂直部30c，30cとを有する。水平部30aの四隅には、上型２の扇状凸部23a，23a，23a，23aと同じ形状の扇状凸部33a，33a，33a，33aが設けられており、各扇状凸部33aの平坦な側面は垂直部30b，30b，30c，30cより僅かに外側に張り出している。各垂直部30b，30cは下型２の厚さ方向途中まで延びているので、隣接する扇状凸部33aの根元部（下部）は下型３の下面に沿った水平凸部33cにより連結している。キャビティ30の外周に沿って樹脂漏れ防止用シール66を収容する溝31aが形成されているので、キャビティ30の外周縁と溝31aとの間がフランジ部32aとなる。
【００２５】
水平部30aの中央に、繊維強化複合体１の円孔13，13を設けるための一対の円状凸部33b，33bが設けられている。各円状凸部33bとその外周に設けられた同じ高さの環状フランジ部32bとの間に、樹脂漏れ防止用シール66を収容する環状溝31bが設けられている。各円状凸部33bの中心部には、ピン65を挿入する孔37が設けられている。ピン65は孔37より大きい径の頭部65aを有するので、各ピン65を孔37に挿入すると、頭部65aは孔37に入らずに上型２の孔25に入る。その結果、下型３に対する上型２の位置が決まる。
【００２６】
下型３は、水平部30aに上型２の孔24と垂直方向に整合した孔34を有し、一方の垂直部30b及び両方の垂直部30c，30cに孔34'を有する。孔34，34'は同じ径を有し、繊維強化複合体１の孔15を設けるためのドリルが入る。図３(b)に示すように、孔34は上側から小径部34a及び大径部34bを有する。下型３用の樹脂漏れ防止プラグ63は、小径孔部34aに密着する小径部63aと、大径孔部34bに入る大径部63bとからなる。図示していないが、必要に応じて成型中のプラグ63の脱落を防止するために大径部63bを大径孔部34bに螺合しても良い。孔34，34'に装着されたプラグ63の先端面はキャビティ30の水平部30a又は垂直部30b，30cと同一平面にある。下型３の下面には、マトリックス樹脂の硬化後にプラグ63を孔34'から抜くための溝38がキャビティ30の垂直部30b，30cに沿って設けられている。
【００２７】
図４(b)に示すように、下型３のフランジ部32aの内側面（キャビティ30の端面30d）にも、成形した繊維強化複合体１を下型３から取り外す平坦な工具を差し入れる浅い溝36が設けられている。
【００２８】
硬化した繊維強化複合体１は型開き後に約0.1 mmだけ厚くなる傾向があるので、上型２及び下型３キャビティ20，30により形成されるキャビティを予め約0.1 mmだけ薄くしておくのが好ましい。
【００２９】
(b) 材料
上型２及び下型３を構成する材料としては、例えば鋳鉄、鋼鉄（例えばJIS SS400等）、炭素鋼（例えばJIS S45C-H等）等が挙げられる。鋳鉄としては、株式会社榎本鋳工所から「ノビナイト」の商品名で市販されている低線膨張係数を有するものが好ましい。側型４，５を構成する材料としては、例えばアルミニウム等が挙げられる。
【００３０】
プラグ62，63，ピン65の材料としては、合金鋼（例えばJIS SCM435H等）が挙げられる。シール66の材料としては、硬化温度に耐える耐熱性を有するゴムであり、例えばポリテトラフロロエチレン（PTFE）等の含フッ素ゴム、シリコーンゴム等が挙げられる。PTFE製シールの市販品として、GORE-TEX No.3300（ジャパンゴアテックス株式会社製）が挙げられる。
【００３１】
(2) 製造工程
(a) プリプレグ積層工程
予め上型２の孔24、及び下型３の孔34，34'に、樹脂漏れ防止プラグ62、63を挿入する。四隅を扇形に切り欠いた複数の矩形状布状プリプレグを、上型２及び下型３上に積層する。図５(a)及び図５(b)に示すように、上型２及び下型３上のプリプレグ積層体1a，1bはそれぞれ余肉を有する。
【００３２】
布状プリプレグは強化繊維からなる布に、マトリックス樹脂を含浸させてなる。強化繊維としては特に制限されず、炭素繊維、アラミド繊維、ガラス繊維、ボロン繊維等から用途に応じて適宜選択される。マトリックス樹脂としては、熱硬化性樹脂が好ましく、エポキシ樹脂、ポリウレタン、不飽和ポリエステル、ビスマレイミド樹脂、フェノール樹脂等から用途に応じて適宜選択される。パネル状繊維強化複合体１を航空機胴体用部材として使用する場合、強化繊維としては炭素繊維が好ましく、マトリックス樹脂としてはエポキシ樹脂が好ましい。
【００３３】
(b) 余肉切除工程
図５(c)及び図５(d)に示すように、カッター等のトリミング工具72により、上型２のキャビティ20の端面20cに沿ってプリプレグ積層体1aの余肉12aを切除（トリミング）し、下型３のキャビティ30の端面30dに沿ってプリプレグ積層体1bの余肉11b，12bを切除する。上型２の溝21a，21b、及び下型３の溝31a，31bにシール66を装着する。上型２の溝26、及び下型３の溝36にシリコーンシートを詰める。下型３の孔37にピン65を挿入し、それらの頭部65aを上型２の孔25に挿入し、図５(f)に示すように、プリプレグ積層体1a，1bが接するように下型３に上型２を載置する。図５(f)及び図５(g)に示すように、上型２に載置したプリプレグ積層体1aを下型３に載置したプリプレグ積層体1bの上に垂らした状態で、下型３のキャビティ30の端面30dに沿って、プリプレグ積層体1aの長手方向余肉11aを切除する。トリミングは通常室温で行う。
【００３４】
本発明ではトリミングの容易な未硬化のプリプレグ積層体1a，1bから余肉を切除するので、硬化プリプレグ成形体をトリミングする従来の方法に比べて、良好な切断面を有する繊維強化複合体を簡便に製造できる。
【００３５】
(c) フランジ部用プリプレグの積層工程
図５(h)及び図５(i)に示すように、フランジ部12，12を強化するために、帯状プリプレグ1cを、強化繊維及びマトリックス樹脂からなる充填材1dを介して、プリプレグ積層体1a，1bのフランジ部12a，12bに積層する。このようにしてプリプレグ積層体1a，1b、帯状プリプレグ1c及び充填材1dを一体化したプリプレグ組立体1''が得られる。
【００３６】
(d) 硬化工程
図６に示すように、組合せた上型２及び下型３の側面に側型４，４，５，５を付着し、プリプレグ組立体1''のフランジ部を支持する。図７に示すように、型全体を基盤80上に載置し、バッグフィルム81で被覆する。バッグフィルム81内を真空ポンプに接続した管82より減圧する。真空状態を保持できるように、バッグフィルム81を基盤80の上面に接着テープ83により密着する。
【００３７】
バッグフィルム81内を真空状態に保持したまま加熱し（図８参照）、マトリックス樹脂を硬化させる。加熱はオーブン等の中で行うことができるが、オートクレーブ中で加圧しながら行うのが好ましい。加熱温度は、熱硬化性樹脂の種類によって若干異なるが、120〜180℃が好ましい。オートクレーブを使用する場合、３〜６MPa程度に加圧するのが好ましい。
【００３８】
(e) 穿孔工程
室温まで冷却した後、側型４，４，５，５を取り外し、図９に示すように、ショルダーボルト64を、板状の穿孔用治具６，６，７，７の孔61，71を介して、孔35に螺入することにより、板状穿孔用治具６，６，７，７を下型３に取り付ける。穿孔用治具６，７には、型中の繊維強化複合体１の孔15を設けるために、穿孔工具を挿入する孔60，70が各々設けられている。穿孔用治具６，７はアルミニウム等により形成できる。ショルダーボルト64は合金鋼（例えばJIS SCM435H等）により形成できる。
【００３９】
型２，３の孔24，34，34'から樹脂漏れ防止プラグ62，63を抜く。図９に示すように、上型２及び穿孔用治具６，７の孔24、60，70に、孔67aを有する筒状のガイドプラグ67を挿入する。図10に示すように、ガイドプラグ67は、孔24の大径部24aに密着する大径部67b、及び孔24の小径孔部24bに密着する小径部67cを有する。治具６，７の孔60，70も、ネジ山を有さない以外、孔24と同形状を有するので、ガイドプラグ67が係合する。
【００４０】
図11に示すように、ガイドプラグ67の孔67aにNCドリル等の穿孔工具73を挿入して、プリプレグ組立体1''を硬化させてなる硬化プリプレグ成形体1'を穿孔する。穿孔により得られる繊維強化複合体１の孔15の精度を高めるために、ガイドプラグ67の孔67aの径を穿孔工具73の直径D超〜D＋50μm以下とするのが好ましい。ガイドプラグ67を孔24，60，70中に固定し、硬化プリプレグ成形体1'を垂直に穿孔する。このように型２，３内に硬化プリプレグ成形体1'が保持された状態で、孔24，34，34'，60，70を有する穿孔用治具６，７を利用して穿孔するので、接合用孔15を精確かつ効率よく形成することができる。
【００４１】
(f) 脱型工程
得られた繊維強化複合体１から、型２，３及び穿孔用治具６，７を取り外す。図12に示すように、上型２の孔25にはネジ山が設けられている。ネジ山付き孔25にボルト74を螺入し、その先端でピン65の頭部65aを押すことにより、上型２と下型３を容易に分離することができる。上型２のフランジ部22aに設けた溝26に、マイナスドライバ等の平坦な工具75を差し入れ、上型２から繊維強化複合体１を分離する。図13に示すように、下型３のフランジ部32aに設けた溝36にも平坦な工具75を差し入れ、下型３から繊維強化複合体１を持ち上げ、分離する。
【００４２】
(3) その他の実施態様
図14は本発明の方法により製造する繊維強化複合体の別の例を示す。このパネル状の繊維強化複合体１は、長手方向側縁部に設けられたフランジ部12，12が片側のみに突出しており、円孔13，13を有さない以外、図１に示す繊維強化複合体１と同じである。図15は、図14に示す繊維強化複合体１を成形する型の一例を示す。この成形型は、キャビティを有さない上型２と円状凸部33b等を有さない下型３とからなる以外、図２〜４に示す成形型と同じである。この型を用いた成形方法は本質的に上記と同じであるので、説明を省略する。
【００４３】
(4) 成形型の寸法設定
加熱硬化時の熱膨張による寸法精度の低下を防止するために、繊維強化複合体１（プリプレグ組立体1''，硬化プリプレグ成形体1'）と成形型とはできるだけ近い線膨張係数を有するのが好ましい。具体的には、繊維強化複合体１に用いるCFRPの線膨張係数は約2.6×10-6／℃であるので、ノビナイトのグレードCS-5［線膨張係数：2.5×10-6／℃（200℃）］、又はCN-5［線膨張係数：2.7×10-6／℃（200℃）］を用いるのが好ましい。しかし、両者の線膨張係数の差が比較的大きい場合、硬化温度において硬化プリプレグ成形体1'と同じ寸法となるように、型２，３のキャビティの室温寸法を定めるのが好ましい。
【００４４】
繊維強化複合体１のうち平板部10の寸法の精度が重要であるので、その設計長さをW1とし、その設計長さが得られるキャビティの長さをW2とする。室温から硬化温度に上昇すると、図16に示すように、平板部10の長さW1はW1＋ΔW1（＝α1・W1・ΔT）となり、キャビティの長さW2はW2＋ΔW2（＝α2・W2・ΔT）となる。ここで、α1は繊維強化複合体１の線膨張係数であり、α2は下型３の線膨張係数であり、ΔTは室温と硬化温度の差（℃）である。硬化温度では、平板部10の長さとキャビティの長さは同じになるので、W1＋α1・W1・ΔT＝W2＋α2・W2・ΔTが成り立つ。従って、W2は下記式(1) により表される。
W2＝W1×（１＋α1・ΔT）／（１＋α2・ΔT）・・・(1)
【００４５】
繊維強化複合体１を型２，３から取り出すと、繊維強化複合体１の平板部10とフランジ部11の角度が僅かに減少する傾向があるため、減少分（例えば約0.5〜1.5°）だけキャビティ20，30の水平部20a，30aと垂直部30a，30bがなす角度を、最終製品における角度より大きくしておくのが好ましい。
【００４６】
[2] 胴体用構造体
以上のような製造方法により得られる繊維強化複合体は、軽量で強度が高いので、航空機胴体用構造体を構成する部材として好適である。図18は、本発明の方法により製造した繊維強化複合体を用いて航空機胴体用構造体を構成した例を示す。繊維強化複合体１はリベット90により接合されている。図18に示す構造体は、例えば航空機胴体の床用の構造体として使用することができる。この例では、繊維強化複合体１同士を接合しているが、これに限定されず、アルミニウム合金製部材等の他の部材と接合しても良い。図18に示す例では同じ形状の繊維強化複合体１を接合しているが、これに限定されず、異なる形状の繊維強化複合体１を組合せても良い。
【図面の簡単な説明】
【００４７】
【図１】本発明の方法により製造する繊維強化複合体の一例を示す斜視図である。
【図２（ａ）】図１の繊維強化複合体を成形する型の一例を示す分解斜視図である。
【図２（ｂ）】図２(a) の上型を示す平面図、長手方向側面図、短手方向側面図及び底面図である。
【図２（ｃ）】図２(a) の下型を示す平面図、長手方向側面図、短手方向側面図及び底面図である。
【図３（ａ）】上型に設けたピン機構を示す部分断面図である。
【図３（ｂ）】下型に設けたピン機構を示す部分断面図である。
【図４（ａ）】図２(a) のA部分を示す拡大斜視図である。
【図４（ｂ）】図２(a) のB部分を示す拡大斜視図である。
【図５（ａ）】上型にプリプレグ積層体を載置した状態を示す側面図である。
【図５（ｂ）】下型にプリプレグ積層体を載置した状態を示す側面図である。
【図５（ｃ）】上型に載置したプリプレグ積層体の横手方向余肉を切除する様子を示す側面図である。
【図５（ｄ）】下型に載置したプリプレグ積層体の横手方向余肉を切除する様子を示す側面図である。
【図５（ｅ）】下型のキャビティに、余肉を切除したプリプレグ積層体が収容された状態を示す平面図及び側面図である。
【図５（ｆ）】上型に載置したプリプレグ積層体（下型に載置したプリプレグ積層体上に垂れ下がっている）の長手方向余肉を切除する様子を示す側面図である。
【図５（ｇ）】図５(f) のC-C部分断面図である。
【図５（ｈ）】上型及び下型に挟持されたプリプレグ積層体のフランジ部に帯状プリプレグを積層した状態を示す側面図である。
【図５（ｉ）】図５(h) のD部分を示す拡大断面図である。
【図６】図５(i) の一体化した上型及び下型の側面に、側型を取り付けた状態を示す側面図である。
【図７】プリプレグ組立体及び成形型をバッグフィルムで被覆し、脱気する様子を示す断面図である。
【図８】プリプレグ組立体及び成形型を真空下に保持した状態を示す断面図である。
【図９】硬化プリプレグ成形体を穿孔するために用いる治具の一例を示す分解斜視図である。
【図１０】上型の孔にガイドプラグを挿入した状態を示す部分断面図である。
【図１１】硬化プリプレグ成形体を穿孔する様子を示す部分断面図である。
【図１２】上型と下型を分離するために、上型の孔にボルトを螺入する様子を示す部分断面図である。
【図１３】下型から繊維強化複合体を分離するために、下型のフランジ部に設けた溝に、平坦な工具を差し入れる様子を示す部分斜視図である。
【図１４】本発明の方法により製造する繊維強化複合体の別の例を示す斜視図である。
【図１５】図14の繊維強化複合体を成形する型の一例を示す斜視図である。
【図１６】下型及び繊維強化複合体の硬化温度における寸法を示す断面図である。
【図１７】繊維強化複合体及び成形型の温度変化による寸法変化を示すグラフである。
【図１８】繊維強化複合体を組み立ててなる航空機胴体用構造体の一部の例を示す斜視図である。
【符号の説明】
【００４８】
１・・・繊維強化複合体
10・・・平板部
11，12・・・フランジ部
13・・・円孔
14・・・切り欠き部
15・・・孔
1a，1b・・・プリプレグ積層体
1c・・・帯状プリプレグ
1d・・・充填材
1'・・・硬化プリプレグ成形体
10'・・・平板部
11'・・・フランジ部
12'・・・フランジ部
1''・・・プリプレグ組立体
10''・・・平板部
11''・・・フランジ部
２・・・上型
20・・・キャビティ
20a・・・水平部
20b・・・垂直部
20c・・・端面
21a，21b・・・溝
22a・・・フランジ部
22b・・・環状フランジ部
23a・・・扇状凸部
23b・・・円状凸部
23c・・・水平凸部
24・・・孔
24a・・・大径部
24b・・・小径部
25・・・孔
26・・・溝
３・・・下型
30・・・キャビティ
30a・・・水平部
30b，30c・・・垂直部
30d・・・端面
31a，31b・・・溝
32a・・・フランジ部
32b・・・環状フランジ部
33a・・・扇状凸部
33b・・・円状凸部
33c・・・水平凸部
34・・・孔
34a・・・小径部
34b・・・大径部
34'，35，37・・・孔
36・・・溝
38・・・溝
４・・・側型
５・・・側型
６・・・穿孔用治具
60，61・・・孔
７，７'・・・穿孔用治具
70，71・・・孔
62・・・樹脂漏れ防止用プラグ
62a・・・頭部
62b・・・先端部
62c・・・Oリング
63・・・樹脂漏れ防止用プラグ
64・・・ショルダーボルト
65・・・ピン
65a・・・頭部
66・・・樹脂漏れ防止用シール
67・・・ガイドプラグ
67a・・・孔
67b・・・大径部
67c・・・小径部
72・・・トリミング工具
73・・・穿孔工具
73a・・・ドリル刃
74・・・ボルト
75・・・平坦な工具
80・・・基盤
81・・・バッグフィルム
82・・・吸引管
83・・・接着テープ
90・・・リベット
【図１】
2008012920.tif 000003
【図２（ａ）】
2008012920.tif 000004
【図２（ｂ）】
2008012920.tif 000005
【図２（ｃ）】
2008012920.tif 000006
【図３（ａ）】
2008012920.tif 000007
【図３（ｂ）】
2008012920.tif 000008
【図４（ａ）】
2008012920.tif 000009
【図４（ｂ）】
2008012920.tif 000010
【図５（ａ）】
2008012920.tif 000011
【図５（ｂ）】
2008012920.tif 000012
【図５（ｃ）】
2008012920.tif 000013
【図５（ｄ）】
2008012920.tif 000014
【図５（ｅ）】
2008012920.tif 000015
【図５（ｆ）】
2008012920.tif 000016
【図５（ｇ）】
2008012920.tif 000017
【図５（ｈ）】
2008012920.tif 000018
【図５（ｉ）】
2008012920.tif 000019
【図６】
2008012920.tif 000020
【図７】
2008012920.tif 000021
【図８】
2008012920.tif 000022
【図９】
2008012920.tif 000023
【図１０】
2008012920.tif 000024
【図１１】
2008012920.tif 000025
【図１２】
2008012920.tif 000026
【図１３】
2008012920.tif 000027
【図１４】
2008012920.tif 000028
【図１５】
2008012920.tif 000029
【図１６】
2008012920.tif 000030
【図１７】
2008012920.tif 000031
【図１８】
2008012920.tif 000032